(57)【要約】【課題】エアマットレスの洗浄を効率良く行うことができるエアマットレス用の洗浄装置を提供する。【解決手段】エアマットレスの洗浄装置１は、複数の通水孔を有し、エアマットレス１００が巻回された状態で収容されるドラム３と、ドラム３の下方に設けられ、洗い行程時に水が貯められる水槽４と、洗い行程の後に行われる脱水行程時に、ドラム３の最下点を水槽４内の水の水面よりも高くする脱水機構部５と、を備える。【選択図】図１
2016067631.tif 000002
【特許請求の範囲】
【請求項１】
エアマットレスを洗浄する洗浄装置であって、
複数の通水孔を有し、前記エアマットレスが巻回された状態で収容される回転槽と、
前記回転槽の下方に設けられ、洗い行程時に水が貯められる水槽と、
前記洗い行程の後に行われる脱水行程時に、前記回転槽の最下点を前記水槽内の水の水面よりも高くする脱水機構部と、
を備えるエアマットレスの洗浄装置。
【請求項２】
前記脱水機構部は、前記水槽を下げることにより、前記回転槽の最下点を前記水槽内の水の水面よりも高くする請求項１に記載のエアマットレスの洗浄装置。
【請求項３】
前記脱水機構部は、前記回転槽を上げることにより、前記回転槽の最下点を前記水槽内の水の水面よりも高くする請求項１に記載のエアマットレスの洗浄装置。
【請求項４】
前記脱水機構部は、前記水槽内の水を排出することにより、前記回転槽の最下点を前記水槽内の水の水面よりも高くする請求項１に記載のエアマットレスの洗浄装置。
【発明の詳細な説明】
【技術分野】
【０００１】
本発明は、エアマットレスの洗浄装置に関する。
【背景技術】
【０００２】
例えば医療や介護の現場においては、患者が長期にわたって同じ姿勢で寝たままとなる場合があることから、このような患者に発症することが想定される床ずれを予防することが求められている。床ずれの予防策としては、空気を含んで構成されるマットいわゆるエアマットレスの使用が有効である。そして、従来から、種々のエアマットレスの開発が進められている。例えば特許文献１には、複数の細長い袋状のエアセルにより構成されたエアマットレスが開示されている。
【先行技術文献】
【特許文献】
【０００３】
【特許文献１】特開２００５−６９３９号公報
【発明の概要】
【発明が解決しようとする課題】
【０００４】
例えばファイバ繊維やウレタンスポンジなどで構成されるマットレスであれば、その構造がシンプルであることから、一般的に市販されているマットレス用の洗浄装置により洗浄することができる。しかし、エアマットレスは、例えば特許文献１にも開示されている通り、その構造が複雑になる傾向があり、一般的なマットレス用の洗浄装置では、洗浄することが困難である。そのため、現状では、エアマットレスの洗浄は手作業に頼るしかなく、作業者に多大な作業負荷をかけており、また、洗浄作業に多大な時間を要している。また、手作業による洗浄では、エアマットレスに付着した汚れや臭いを十分に除去できないという課題もある。
【０００５】
そこで、本発明は、エアマットレスの洗浄を効率良く行うことができるエアマットレス用の洗浄装置を提供することにある。
【課題を解決するための手段】
【０００６】
本発明に係る洗浄装置は、エアマットレスを洗浄するための洗浄装置であって、回転槽と、水槽と、脱水機構部と、を備える。回転槽は、複数の通水孔を有し、エアマットレスが巻回された状態で収容される。水槽は、回転槽の下方に設けられ、洗い行程時に水が貯められる。脱水機構部は、洗い行程の後に行われる脱水行程時に、回転槽の最下点を水槽内の水の水面よりも高くする。
【０００７】
この構成によれば、洗い行程では、回転槽による回転作用によって、いわゆるたたき洗いによりエアマットレスを洗浄することができる。よって、エアマットレスに付着した汚れ成分や臭い成分を擦り落とすようにして効率良く除去することができる。また、洗い行程に続く脱水行程では、脱水機構部が回転槽の最下点を水槽内の水の水面よりも高くする。これにより、エアマットレスに浸透した水を効率良く除去することができる。このように、本発明に係る洗浄装置によれば、エアマットレスの洗浄を効率良く行うことができる。
【図面の簡単な説明】
【０００８】
【図１】本実施形態に係るエアマットレスの洗浄装置の構成例を概略的に示す縦断側面図
【図２】本実施形態に係るエアマットレスの洗浄装置の構成例を概略的に示す縦断正面図
【図３】本実施形態に係るエアマットレスの洗浄装置の構成例を概略的に示す平面図
【図４】本実施形態に係るエアマットレスの洗浄装置の操作盤の構成例を概略的に示す縦断側面図
【発明を実施するための形態】
【０００９】
以下、本発明に係るエアマットレスの洗浄装置の一実施形態について図面を参照しながら説明する。図１から図４に例示するエアマットレスの洗浄装置１は、その外殻を構成するキャビネット２内に、ドラム３、水槽４、脱水機構部５などを備える。以下、エアマットレスの洗浄装置１を単に「洗浄装置１」と称する。また、洗浄装置１の使用時において当該洗浄装置１に作業者Ａが対面する側、図１では右側を洗浄装置１の前側とする。
【００１０】
キャビネット２の前面側の上部には開口部６が設けられており、この開口部６には蓋７が設けられている。蓋７は、キャビネット２の上面に回動可能に取り付けられている。作業者Ａは、手動により蓋７を矢印Ａ１方向に回動させることで開口部６を開放することができる。また、作業者Ａは、手動により蓋７を矢印Ａ２方向に回動させることで開口部６を閉塞することができる。なお、蓋７には、当該蓋７の開閉動作を補助するためのガスダンパー７ａが取り付けられている。また、蓋７には、洗浄装置１の運転中に当該蓋７が開いてしまうことを規制するための図示しないソレノイドロック機構が取り付けられている。
【００１１】
また、キャビネット２の前面には、開口部６の下端部に位置して作業台８が設けられている。作業台８は、矢印Ｂ１，Ｂ２方向に回動可能に設けられている。作業者Ａは、手動により作業台８を矢印Ｂ１方向に回動させることで、当該作業台８をキャビネット２の前面から前方に突出する使用状態とすることができる。また、作業者Ａは、手動により作業台８を矢印Ｂ２方向に回動させることで、当該作業台８をキャビネット２の前面に沿って下方に指向する非使用状態とすることができる。また、キャビネット２の上面には、排気口９が設けられている。この排気口９には、図示しない排気ダクトが接続される。
【００１２】
ドラム３は、回転槽の一例であり、軸方向の両端部が閉塞された円筒状をなしており、その全体に図示しない複数の通水孔を有している。また、ドラム３は、キャビネット２内において、回転軸１０を中心に回転可能に設けられている。ドラム３の周側壁の一部には、洗浄対象物を出し入れするための出し入れ口１１が設けられている。出し入れ口１１には、蓋１２が設けられている。この蓋１２は、矢印Ｃ１，Ｃ２で示すように、ドラム３の周方向に沿って移動可能に設けられている。なお、この蓋１２にも、図示しない複数の通水孔が形成されている。また、ドラム３の内周面には、当該ドラム３の回転に伴い内部の洗浄対象物を掻き上げるための掻き上げブロック１３が設けられている。この掻き上げブロック１３は、ドラム３の軸方向に沿って直線状に延びている。
【００１３】
このドラム３内にエアマットレス１００を収容する場合には、作業者Ａは、まず、キャビネット２の蓋７を開いて開口部６を開放する。続いて、作業者Ａは、ドラム３の蓋１２を開いて出し入れ口１１を開放する。そして、作業者Ａは、エアマットレス１００を、いわゆる簀巻き状に巻回する。このとき、作業者Ａは、作業台８を予め使用状態にしておくことで、当該作業台８の上でエアマットレス１００を巻回することができる。これにより、作業者Ａの作業負荷を軽減することができる。そして、作業者Ａは、簀巻き状に巻回したエアマットレス１００を出し入れ口１１からドラム３内に投入する。そして、作業者Ａは、ドラム３の蓋１２を閉じて出し入れ口１１を閉塞し、続いて、キャビネット２の蓋７を閉じて開口部６を閉塞する。
【００１４】
また、ドラム３内からエアマットレス１００を取り出す場合には、作業者Ａは、キャビネット２の蓋７およびドラム３の蓋１２を順次開いて、エアマットレス１００を取り出す。このとき、エアマットレス１００を取り出す前に予め作業台８を使用状態にしておくことで、作業者Ａは、ドラム３内から取り出したエアマットレス１００を当該作業台８の上に一旦置くことができる。これにより、作業者Ａの作業負荷を軽減することができる。
【００１５】
水槽４は、キャビネット２内においてドラム３の下方に設けられている。水槽４は、ドラム３の軸方向に沿って延びる長尺な貯水部１５と、貯水部１５の前部と後部に併設されたオーバーフロー部１６とを備える。貯水部１５は、ドラム３の最下点に下方から対向する水平な底面部１５ａと、底面部１５ａから前側上方および後側上方に傾斜して延びる傾斜面部１５ｂとを有する。また、水槽４は、貯水部１５の底面部１５ａにメイン排水口１７を有する。メイン排水口１７は、図示しない排水弁により開閉されるようになっている。なお、このメイン排水口１７には、図示しない排水ホースが接続される。また、メイン排水口１７は、例えば作業者Ａが意図的に排水弁を開かない限り閉塞された状態となっている。
【００１６】
オーバーフロー部１６は、ドラム３の軸方向に沿って延びる長尺な堰部１６ａと、堰部１６ａよりも前側および後側に設けられたサブ排水口１６ｂと、を備える。水槽４に供給される水は、貯水部１５に貯められる。但し、貯水部１５内の水の水位が堰部１６ａの上端に達した場合には、貯水部１５内の水が堰部１６ａを越えて貯水部１５外に溢れ出る。そして、貯水部１５から溢れ出た水は、サブ排水口１６ｂから排出される。これにより、貯水部１５内の水の水位は、最大で堰部１６ａの上端の高さとなるようになっている。なお、サブ排水口１６ｂには、図示しない排水ホースが接続される。
【００１７】
また、貯水部１５内の底部には、複数のジャグジー用ノズル１９が設けられている。ジャグジー用ノズル１９は、貯水部１５の長手方向に沿って延びる長尺な形状をなしており、複数の図示しない泡噴出孔を備えている。
【００１８】
脱水機構部５は、水槽４の下方に設けられており、当該水槽４を下方から支持している。また、脱水機構部５は、支持フレーム５ａ，５ａ間の角度αの大きさを変更させることにより、水槽４の高さを調整する機構部、いわゆるパンダグラフ型あるいはジャッキ型の機構部となっている。脱水機構部５による水槽４の高さ位置の調整は、詳しくは後述する制御装置３１により自動的に行われるようになっている。
【００１９】
また、キャビネット２内には、脱水機構部５の近傍に位置してセンサー２０が設けられている。センサー２０は、上端側感知部２０ａと、下端側感知部２０ｂとを有している。センサー２０は、脱水機構部５が備える非感知部５ｃが上端側感知部２０ａに感知されることにより、脱水機構部５が水槽４を調整可能範囲の最上位置に移動させたことを感知する。また、センサー２０は、非感知部５ｃが下端側感知部２０ｂに感知されることにより、脱水機構部５が水槽４を調整可能範囲の最下位置に移動させたことを感知する。
【００２０】
洗浄装置１は、キャビネット２の側部に操作盤３０を備えている。次に、この操作盤３０の構成について説明する。即ち、図４に示すように、操作盤３０の内部には、制御装置３１、オゾン水発生装置３２、泡発生装置３３、モータ３４などが設けられている。制御装置３１は、例えばマイクロコンピュータなどで構成されるものであり、脱水機構部５、オゾン水発生装置３２、泡発生装置３３、モータ３４などの動作、即ち、洗浄装置１の動作全般を制御する。
【００２１】
オゾン水発生装置３２は、周知の構成であり、図示しない外部の水源、例えば水道から供給される水にオゾンを混入してオゾン水を生成する。そして、オゾン水発生装置３２は、生成したオゾン水を給水管３２ａを介して水槽４の貯水部１５に供給する。泡発生装置３３は、周知の構成であり、空気供給管３３ａを介してジャグジー用ノズル１９に空気を供給する。ジャグジー用ノズル１９に供給された空気は、泡噴出孔から泡状に噴出する。これにより、水槽４の貯水部１５内の水に泡が供給されるようになる。この場合、ジャグジー用ノズル１９は水槽４の貯水部１５内の底部に設けられている。そのため、ジャグジー用ノズル１９から供給される泡は、貯水部１５の底部から水面に向かって上昇する。モータ３４は、ドラム３の回転軸１０に連結されており、ドラム３を回転させる。この場合、モータ３４は、制御装置３１からの指令に応じて、ドラム３の回転方向を正転方向および逆転方向に適宜切り換えて回転させる。また、モータ３４は、制御装置３１からの指令に応じて、ドラム３の回転速度を調整する。
【００２２】
次に、洗浄装置１によるエアマットレス１００の洗浄動作の一例について説明する。洗浄装置１による洗浄動作は、少なくとも、エアマットレス１００を洗うための洗い行程と、エアマットレス１００を脱水するための脱水行程と、を含む。洗い行程では、洗浄装置１は、水槽４の貯水部１５に水を溜めた状態でドラム３を回転させる。なお、この洗い行程においては、ドラム３の最下点が水槽４の貯水部１５内の水の水面、つまり堰部１６ａの上端よりも低くなるように、水槽４の高さ位置が調整されている。また、ドラム３の回転方向は正転方向および逆転方向に適宜切り替えられる。また、洗浄装置１は、ジャグジー用ノズル１９から水槽４の貯水部１５内の水に泡を供給する。また、洗浄装置１は、水槽４の貯水部１５への水の供給を継続する。これにより、貯水部１５からのオーバーフロー水の排出が継続され、貯水部１５内の水が入れ換えられるようになっている。
【００２３】
水槽４の貯水部１５内には、この場合、強い酸化力を有するオゾンを含む水が溜められている。そのため、エアマットレス１００に付着している汚れ成分や臭い成分を、オゾンの酸化力により分解して効率良く除去することができる。また、水槽４の貯水部１５内の水には、ジャグジー用ノズル１９から泡が供給される。この泡による効果も付加されて、エアマットレス１００に付着している汚れ成分や臭い成分を効率良く除去することができる。
【００２４】
また、貯水部１５内の底部のジャグジー用ノズル１９から上昇する泡に伴って、貯水部１５内の水に含まれる汚れ成分や臭い成分が水面側に移動する。そのため、エアマットレス１００から除去された汚れ成分や臭い成分を貯水部１５から溢れ出るオーバーフロー水とともに排出することができる。また、エアマットレス１００から除去された汚れ成分や臭い成分が貯水部１５の底部に沈みにくくなるため、貯水部１５の清掃作業やメンテナンス作業の負荷を軽減することができる。
【００２５】
洗い行程の後に行われる脱水行程では、洗浄装置１は、排水弁を閉塞して水槽４の貯水部１５内に水を溜めたままの状態で脱水機構部５を動作させて水槽４を下げ、これにより、ドラム３の最下点を水槽４の貯水部１５内の水の水面よりも高くする。そして、その後、洗浄装置１は、ドラム３を回転させる。なお、このときのドラム３の回転速度は、上述の洗い行程におけるドラム３の回転速度よりも遅い回転速度でよい。また、ドラム３を回転させる時間は、例えば数分程度など、適宜変更して実施することができる。
【００２６】
洗浄装置１によれば、脱水行程において水槽４を強制的に下げることで、ドラム３を早期に水槽４の貯水部１５内の水から離脱させる。そのため、ドラム３内のエアマットレス１００に浸透した水を速やかに除去することができる。さらに、洗浄装置１によれば、ドラム３を水槽４内の水から離脱させた状態で当該ドラム３を回転させる。このように、ドラム３を水から離脱させた状態で回転させることにより、ドラム３内のエアマットレス１００の脱水を促進することができる。
【００２７】
また、洗浄装置１によれば、洗い行程では、ドラム３による回転作用によって、いわゆるたたき洗いによりエアマットレス１００を洗浄することができる。よって、エアマットレス１００に付着した汚れ成分や臭い成分を擦り落とすようにして効率良く除去することができる。また、洗い行程に続く脱水行程では、脱水機構部５がドラム３の最下点を水槽内の水の水面よりも高くする。これにより、エアマットレス１００に浸透した水を効率良く除去することができる。このように、洗浄装置１によれば、エアマットレス１００の洗浄を効率良く行うことができる。
【００２８】
また、洗浄装置１によれば、脱水機構部５は、水槽４を機械的に下げることにより、ドラム３の最下点を水槽４の貯水部１５内の水の水面よりも高くする。水槽４を機械的に下げるための機構部は、いわゆるパンダグラフ型の機構部あるいはジャッキ型の機構部などといった比較的簡素な構成で実現することができる。よって、洗浄装置１によれば、構造の複雑化を抑えつつ脱水機構部５を構成することができる。
【００２９】
また、洗浄装置１によれば、脱水機構部５は、水槽４の貯水部１５内の水を排水することなく当該貯水部１５内に水を貯めたままの状態で水槽４を機械的に下げる。この構成によれば、次回の運転を貯水部１５内に水が貯まった状態から始めることができる。従って、次回の運転開始時に貯水部１５内に水を貯めるための時間を不要とすることができ、運転時間の短縮を図ることができる。
【００３０】
なお、本発明は、上述した一実施形態に限定されるものではなく、要旨を逸脱しない範囲内で適宜変更して実施することができる。
例えば、脱水機構部は、回転槽を機械的に上げることにより、回転槽の最下点を水槽内の水の水面よりも高くする構成としてもよい。即ち、例えば、回転槽全体を、回転軸およびモータも含めて昇降させる機構部により脱水機構部を構成してもよい。また、脱水機構部は、水槽を機械的に下げる機構部と回転槽を機械的に上げる機構部とを組み合わせた機構部で構成してもよい。この構成によれば、より速やかに回転槽の最下点を水槽内の水の水面よりも高くすることができる。
【００３１】
また、脱水機構部は、水槽４の貯水部１５内の水の排出と並行して水槽４を機械的に下げる構成としてもよいし、水槽４の貯水部１５内の水の排出と並行して回転槽を機械的に上げる構成としてもよい。また、脱水機構部は、水槽４の貯水部１５内の水の排出と並行して水槽４を機械的に下げ且つ回転槽を機械的に上げる構成としてもよい。これらの構成によれば、ドラム３を一層早期に水槽４の貯水部１５内の水から離脱させることができ、ひいては、エアマットレス１００の脱水を一層速やかに行うことができる。
【００３２】
また、脱水機構部は、ドラム３と水槽４との位置関係を変更することなく水槽４内の水を排出することにより、回転槽の最下点を水槽内の水の水面よりも高くする構成としてもよい。即ち、洗浄装置１は、メイン排水口１７のみで脱水機構部を構成し、メイン排水口１７からの排水のみにより水槽４内の水面を下げ、これにより、ドラム３の最下点を水槽４内の水の水面よりも高くするように構成してもよい。
【００３３】
排気口９に接続される排気ダクトに、吸気用のファンを設ける構成としてもよい。これにより、キャビネット２内の空気、つまりオゾンを含む空気を効率良く排出することができる。また、排気口９は、キャビネット２の下部に設ける構成としてもよい。オゾンは比較的重い成分であることから、排気口９を極力下方に設けることで、吸気用のファンなどを設けなくとも、オゾンの排出を促進することができる。
【００３４】
洗浄装置１は、オゾン水発生装置３２に代えて、例えば電解水を発生する電解水発生装置を備える構成としてもよい。即ち、洗浄装置１は、何らかの洗浄機能を有する要素を発生する装置を備え、その要素を含む水を水槽４に供給する構成とすればよい。また、洗浄装置１は、例えばオゾン水発生装置３２を備えず、通常の水を水槽４に供給する構成としてもよい。また、洗浄装置１は、水槽４内の水に泡を供給しない構成としてもよい。
【００３５】
また、洗浄装置１による洗浄動作の内容は、適宜変更して実施することができる。例えば、洗い行程と脱水行程との間に、エアマットレス１００をすすぐためのすすぎ行程を設けてもよい。また、図示しない乾燥装置と洗浄装置１を組み合わせることにより、脱水行程の後に、エアマットレス１００を乾燥するための乾燥行程を行うようにしてもよい。
また、洗浄装置１により洗浄可能なエアマットレスは、例えば、着脱可能な複数のエアセルにより構成されたエアマットレスのほか、２区画あるいは３区画ほどに分割されたエアブロックにより構成されたエアマットレスなど、種々のエアマットレスを洗浄対象とすることができる。
【符号の説明】
【００３６】
図面中、１はエアマットレスの洗浄装置、３はドラム（回転槽）、４は水槽、５は脱水機構部を示す。
【図１】
2016067631.tif 000003
【図２】
2016067631.tif 000004
【図３】
2016067631.tif 000005
【図４】
2016067631.tif 000006